(57)【要約】【課題】  測定端子が周囲の物を傷付けたり、測定端子自体が損傷することを防止でき、簡単且つ迅速に、しかも紛失の惧れなく測定端子をカバーしたり、カバーを取り外して使用でき、また小型化、コンパクト化しても測定作業を容易にできるようにする。【解決手段】  本尺１の一端の測定端子１ａと、本尺１に沿って移動するスライダー２の測定端子２ａとの間で、品物の外径や内径を測定するノギス本体３と、このノギス本体３を収納するための収納部４とで形成する。ノギス本体３の上記本尺１の他端と収納部４とを軸５で連結する。この軸５を介してノギス本体３又は収納部４を回し、ノギス本体３を収納部４に収納可能に形成する。【選択図】  図１
0003176529.tif 000002
【実用新案登録請求の範囲】
【請求項１】
本尺の一端の測定端子と、本尺に沿って移動するスライダーの測定端子との間で、品物の外径や内径を測定するノギス本体と、このノギス本体を収納するための収納部とで形成され、ノギス本体の上記本尺の他端と収納部とが軸で連結され、この軸を介してノギス本体又は収納部が回され、ノギス本体が収納部に収納可能に形成されていることを特徴とする折畳みノギス。
【請求項２】
請求項１記載の折畳みノギスであって、軸が、本尺の板厚方向に沿って設けられ、収納部の長手方向に沿った一方側が開口されてノギス本体の出し入れ口に形成され、収納部に、収納状態のノギス本体を手指で引き出すための操作部が、ノギス本体の一部を露出させるよう開口状に形成されていることを特徴とする折畳みノギス。
【請求項３】
請求項２記載の折畳みノギスであって、収納部が合成樹脂材で形成され、本尺の他端の両面に、収納部の内側面に面状に接する合成樹脂部材が固定され、軸がこの合成樹脂部材に通されて設けられていることを特徴とする折畳みノギス。
【請求項４】
請求項２又は３記載の折畳みノギスであって、操作部が、スライダーの表面が露出するようノギス本体の出し入れ口の側からスライダーの輪郭に合せて切り欠き状に形成されていることを特徴とする折畳みノギス。
【考案の詳細な説明】
【技術分野】
【０００１】
本考案は、ノギスに関し、更に詳しくは不使用時は折畳んで小型化、コンパクト化できるよう形成した折畳みノギスに関するものである。
【背景技術】
【０００２】
ノギスは、本尺のジョウ等の測定端子が、本尺の長手方向と直交する方向に突き出されている。そのため、従来品は、携帯時や測定作業の際に、本尺やスライダーのジョウ及びくちばしの先が損傷したり、また周囲の物を傷付ける、という問題があった。
【０００３】
而して、この種の問題を解消するものとして、従来、例えば特許文献１に記載の発明がある。
この従来品は、本尺やスライダーのジョウ及びくちばしの全体を覆うカバーであり、測定端子に着脱して使用するよう形成されている。
従って、この従来品によると、カバーの着脱操作に手間暇がかかり、またカバーを紛失する惧れがあった。
【０００４】
而して、従来、ノギスは、本尺を短くすると、測定作業時に本尺を持ち難くなるのを避けられなかった。そのため、従来、使い勝手を悪くすることなく、小型でコンパクトなノギスの出現が強く望まれていた。
【先行技術文献】
【特許文献】
【０００５】
【特許文献１】特開平６−１９４１０４号公報
【考案の概要】
【考案が解決しようとする課題】
【０００６】
本考案は、このような従来品の問題点に鑑み、提案されたものである。
従って本考案の解決しようとする技術的課題は、測定端子が周囲の物を傷付けたり、測定端子自体が損傷することを防止でき、また簡単且つ迅速に、しかも紛失の惧れなく測定端子をカバーしたり、カバーを取り外して使用することができ、更には小型化、コンパクト化しても測定作業を容易にできるよう形成した折畳みノギスを提供することにある。
【課題を解決するための手段】
【０００７】
本考案は、上記の課題を解決するため、次のような技術的手段を採る。
即ち、本考案は、図１等に示されるように、本尺１の一端の測定端子１ａと、本尺１に沿って移動するスライダー２の測定端子２ａとの間で、品物の外径や内径を測定するノギス本体３と、このノギス本体３を収納するための収納部４とで形成され、ノギス本体３の上記本尺１の他端と収納部４とが軸５で連結され、この軸５を介してノギス本体３又は収納部４が回され、ノギス本体３が収納部４に収納可能に形成されていることを特徴とする（請求項１）。
【０００８】
収納部４の形成材料としては、例えば金属材、合成樹脂材、木材等がある。収納部４は、具体的には、金属板を折り曲げたり、合成樹脂を成形することで実現される。軸５は、本尺１の板厚方向（厚み方向）に沿って設けられる場合には限られず、図１２に示されるように、本尺１の短幅方向に沿って設けられているのでも良い。
【０００９】
而して、本考案は、図２等に示されるように、軸５が、本尺１の板厚方向に沿って設けられ、収納部４の長手方向に沿った一方側が開口されてノギス本体３の出し入れ口４ａに形成され、収納部４に、収納状態のノギス本体３を手指で引き出すための操作部６が、ノギス本体３の一部を露出させるよう開口状に形成されているのが好ましい（請求項２）。
なぜならこれによると、操作部６によって本尺１を引き出し易くなり、使い勝手が良くなるからである。ここで、開口状とは、切り欠き状や窓状に形成されることを意味する。
【００１０】
またこの場合、本考案は、図５、図６に示されるように、収納部４が合成樹脂材で形成され、本尺１の他端の両面に、収納部４の内側面に面状に接する合成樹脂部材７が固定され、軸５がこの合成樹脂部材７に通されて設けられているのが好ましい（請求項３）。
なぜならこの場合は、合成樹脂部材７が合成樹脂材製の収納部４と面接触するため、金属製の本尺１と収納部４の内側面とが直接接触する場合より摩擦抵抗を増大できるからである。従ってこれによれば、ノギス本体３を制動でき、例えば収納部４からノギス本体３が勢い良く飛び出ることを防止できる。
【００１１】
また本考案の場合、操作部６は、図２等に示されるように、スライダー２の表面が露出するようノギス本体３の出し入れ口４ａの側からスライダー２の輪郭に合せて切り欠き状に形成されているのが好ましい（請求項４）。
なぜならこれによると、手指を引っ掛ける面積が大きくなり、ノギス本体３を引き出し易くなるからである。
【考案の効果】
【００１２】
本考案のノギスは、このように本尺の一端の測定端子と、本尺に沿って移動するスライダーの測定端子との間で、品物の外径や内径を測定するノギス本体と、このノギス本体を収納するための収納部とで形成され、ノギス本体の上記本尺の他端と収納部とが軸で連結され、この軸を介してノギス本体又は収納部が回され、ノギス本体が収納部に収納可能に形成されている。
【００１３】
従ってこれによれば、測定端子が周囲の物を傷付けたり、測定端子自体が損傷することを防止できる。
【００１４】
また本考案は、軸を中心にノギス本体を回して収納部に収納したり、収納部から引き出して使用できる。
従って本考案の場合は、測定端子にカバーを被せる従来品の場合に比べ、簡単且つ迅速な操作で、しかもカバーを紛失することなく、測定端子を保護できる。
【００１５】
また本考案は、測定作業時に収納部を把持することができる。
従ってこれによれば、本尺を短くしてノギス本体を小型化、コンパクト化しても、測定作業を楽にできる。
また本考案は、ノギス本体を折畳んで収納部に収納すると、二つ折れ状に長さを短くできるから、これによれば保管や携帯を容易化できる。
【図面の簡単な説明】
【００１６】
【図１】本考案のノギスの好適な一実施形態を示す正面図である。
【図２】同上ノギスの使用状態を説明するための正面図である。
【図３】同上ノギスの使用状態を説明するための正面図である。
【図４】同上ノギスの使用状態を説明するための要部断面図である。
【図５】Ａは本尺の他端の要部正面図、Ｂは合成樹脂部材の平面図、Ｃは合成樹脂部材の正面図、Ｄは合成樹脂部材の右側面図である。
【図６】同上ノギスの要部を示し、Ａは正面図、ＢはＡのＢ−Ｂ線から見た平面図、ＣはＢのＣ−Ｃ線における断面図、ＤはＣのＤ−Ｄ線における断面図である。
【図７】同上ノギスの他の実施形態を説明するための使用状態時の正面図である。
【図８】同上ノギスの他の実施形態を説明するための正面図である。
【図９】図８のIX−IX線から見た使用状態を説明するための断面図である。
【図１０】図８のノギスの使用状態を説明するための正面図である。
【図１１】図８のノギスの使用状態を説明するための正面図である。
【図１２】同上ノギスの更に他の実施形態を示す正面図である。
【図１３】図１２のノギスの使用状態を説明するための正面図である。
【考案を実施するための形態】
【００１７】
以下、本考案を実施するための好適な一実施形態を、添付図面に従って説明する。
本考案は、図１等に示されるように、本尺１の一端の測定端子１ａと、本尺１に沿って移動するスライダー２の測定端子２ａとの間で、品物の外径や内径を測定するノギス本体３と、このノギス本体３を収納するための収納部４とで形成されている。
【００１８】
スライダー２は、測定値をデジタル表示する表示部２ｂを備えて形成されている。収納部４は、この実施形態では合成樹脂材で半透明の長板状に形成されている。
【００１９】
ノギス本体３の上記本尺１の他端と収納部４とは、軸５で連結されている。そして本考案は、この軸５を介してノギス本体３又は収納部４が回され、ノギス本体３が収納部４に収納可能に形成されている。
【００２０】
軸５は、この実施形態では本尺１の板厚方向に沿って設けられている。そして収納部４と本尺１の開き角度が１８０度になるよう、本尺１と収納部４とが、軸５を介して直列状に連結されている。
【００２１】
また本考案は、収納部４の長手方向に沿った一方側が開口されてノギス本体３の出し入れ口４ａに形成されている。そして収納部４に、収納状態のノギス本体３を手指で引き出すための操作部６（図２等参照）が、ノギス本体３の一部が露出するよう開口状に形成されている。
【００２２】
この操作部６は、この実施形態ではスライダー２の表面（前面）が露出するようノギス本体３の出し入れ口４ａの側からスライダー２の輪郭に合せて収納部４が切り欠かれている。またこの実施形態では、スライダー２の裏面（後面）の一部が露出するよう、操作部６は、収納部４の裏側にもノギス本体３の出し入れ口４ａの側から、同じ幅で矩形に切り欠かれている。この収納部４の裏側の操作部６は、スライダー２を挟んだ手指を通して案内することができるよう、幅が、例えば２０ｍｍ程度に形成されている。
【００２３】
而して、この実施形態の本考案は、本尺１の他端の両面に、収納部４の内側面に面状に接する合成樹脂部材７（図５、図６参照）が固定されている。この合成樹脂部材７は、円板状のベース部７ａと、このベース部７ａの中心から突き出されている楕円形の凸段差部７ｂとで形成されている。合成樹脂部材７は、本尺１の他端にあけられている楕円形の孔１ｂに凸段差部７ｂが係合することにより、本尺１に固定される。
【００２４】
そして合成樹脂部材７は、ベース部７ａと凸段差部７ｂの軸心位置に、軸５の挿通孔７ｃがあけられている。ベース部７ａは、凸段差部７ｂと反対側の端面に、挿通孔７ｃと軸心を同一にする円形の嵌合用凹段差部７ｄを備えて形成されている。
【００２５】
収納部４は、図６Ｄ等に示されるように、内側面に、嵌合用凹段差部７ｄと係合する円形の嵌合用凸段差部４ｂが形成されている。また収納部４は、スライダー２の輪郭形の操作部６が切り欠き状に形成されている表側の一片の内側面に、合成樹脂部材７の凸段差部７ｂの先端が係合する底の浅い楕円形の凹部４ｃが形成されている。
【００２６】
軸５は、合成樹脂部材７の軸心に通されて設けられている。なお、軸５は、この実施形態では螺子状に形成され、先端にナット８が螺子合わされる。そして、この軸５の頭部５ａとナット８は、収納部４の外側面から食み出ないよう収納部４内に納まるよう形成されている。
【００２７】
次に、この実施形態の本考案品の使用例を説明する。
【００２８】
先ず、作業者は、図１の状態において、スライダー２を前後から手指で挟み、軸５を中心に本尺１又は収納部４を回してノギス本体３を収納部４から引き出す。この場合、本考案は、合成樹脂部材７が合成樹脂材製の収納部４の内側面と面接触しているため、金属製の本尺１が収納部４に直に接触して回る場合より、接触摩擦が増大する。
【００２９】
従って、この実施形態の場合は、ノギス本体３が収納部４に対して開いた角度を保持して回転するため、ノギス本体３が勢い良く回って収納部４に衝止する事態を防止できる。
【００３０】
而して、作業者は、図３に示されるように、本尺１と収納部４を、例えば１８０度開いて直線状に形作り、スライダー２を本尺１に沿って動かして本尺１の一端の測定端子１ａと、スライダー２の測定端子２ａとの間で、品物の外径や内径を測定する。この場合、本考案は、作業者が、同図に示されるように、本尺１と収納部４にわたって手をかけ、収納部４を握りとして利用できる。従って本考案によれば、本尺１を短くでき、ノギスの小型化、コンパクト化を図ることができる。
【００３１】
以上の処において、本考案は、図１、図８等に示されるように、ノギス本体３はデジタル式でもアナログ式でも良い。また本考案は、図７〜図１１に示されるように、スライダー２を含むノギス本体３の全体が収納部４にすっぽり収まるよう形成されているのでも良い。
【００３２】
また本考案の場合、操作部６は、ノギス本体３を収納部４から手指で引き出すことができる形状、位置であれば、上例に限られるものではない。図７の実施形態は、操作部６が、スライダー２の前後の対応する位置が露出するよう、ノギス本体３の出し入れ口４ａの側から収納部４の前面と後面を同じ幅で矩形に切り欠いている事例である。
【００３３】
また図８の実施形態は、ノギス本体３の測定端子１ａ、２ａの先端部分を露出させ、且つ測定端子１ａ、２ａの先端は収納部４に収まるよう、操作部６が、出し入れ口４ａの側から半円形に切り欠かれている事例である。この実施形態の場合は、図９に示されるように、ノギス本体３の測定端子１ａ、２ａの先端部分を摘まみ、ノギス本体３を図１０に示されるように収納部４から引き出して使用するものである。測定時は、図１１に示されるように、上例と同様、ノギス本体３と収納部４を１８０度開き、収納部４を把持して使用する。
【００３４】
また本考案の場合、上記の軸５は、図１２に示されるように、本尺１の短幅方向に沿って設けられているのでも良い。この場合は、収納部４が底の浅い正面（上面）が開口したケース形に形成されている。従ってこの場合は、収納部４の正面（上面）からノギス本体３に手指をかけて引き出すことができるから、これによれば、上記の操作部６を省略でき、操作部６を加工する手間暇やコストを一掃できる。
【００３５】
なお、本考案は、胸ポケットに引っ掛けることができるよう収納部４にクリップが取り付けられたり、或いは、吊り下げることができるよう収納部４に紐（ストラップ）が取り付けられているのでも良い。
【符号の説明】
【００３６】
１      本尺
１ａ    測定端子
２      スライダー
２ａ    測定端子
３      ノギス本体
４      収納部
５      軸
【図１】
0003176529.tif 000003
【図２】
0003176529.tif 000004
【図３】
0003176529.tif 000005
【図４】
0003176529.tif 000006
【図５】
0003176529.tif 000007
【図６】
0003176529.tif 000008
【図７】
0003176529.tif 000009
【図８】
0003176529.tif 000010
【図９】
0003176529.tif 000011
【図１０】
0003176529.tif 000012
【図１１】
0003176529.tif 000013
【図１２】
0003176529.tif 000014
【図１３】
0003176529.tif 000015